(57)【要約】【課題】1本の線状材をクリップ状に形成することで作製された従来の鼻腔拡張器は、直線部で鼻腔を拡げる為、鼻腔内膜に触れる時に痛みを伴うという課題や、線状材の端部に球形状の保護材が必要であるという課題を有していた。【解決手段】本発明の鼻腔拡張器は挿入部を渦巻き状に構成しており、鼻腔を円形部で拡げる為、鼻腔内膜に触れる時の痛みを軽減することができる。また、線状材の先端が渦巻きの中心にくる為、端部が鼻腔内膜に触れることが少なく安全である。【選択図】図１
2019080796.tif 000002
【特許請求の範囲】
【請求項１】
一対の挿入部と前記一対の挿入部を連結する連結部を有する鼻腔拡張器において、前記挿入部及び前記連結部は、一連の線状材から成り、前記挿入部は前記線状材の端部を内側にした渦巻きを形成し、前記連結部は前記一対の挿入部を対向して連結することを特徴とする鼻腔拡張器。
【請求項２】
前記連結部は、前記一対の挿入部から突出した突出形状を有することを特徴とする請求項１に記載の鼻腔拡張器。
【請求項３】
前記線状材は、金属線を合成樹脂にて被覆したワイヤーであることを特徴とする請求項１又は２に記載の鼻腔拡張器。
【請求項４】
前記一連の線状材の端部に球形状を有する球部を備えてなることを特徴とする請求項１〜３のいずれかに記載の鼻腔拡張器。
【発明の詳細な説明】
【技術分野】
【０００１】
本発明は就寝中等の鼻づまりを防止する鼻腔拡張器に関するものである。        
【背景技術】
【０００２】
従来の鼻腔拡張に関する発明は特許文献１に示すように、1本の線材をクリップ状に形成することにより、鼻腔内を拡げ鼻呼吸を円滑にするものがあった。
【先行技術文献】
【特許文献】
【０００３】
【特許文献１】特開２００６−３４１０５０号公報
【発明の概要】
【発明が解決しようとする課題】
【０００４】
従来の鼻腔拡張器は、1本の線状材をクリップ状に形成することで作製できるが、その形状は直線的に鼻腔を拡げるため、鼻腔内膜に触れる時に痛みを伴い、挿入感が悪いと考えられる。
【０００５】
また、上記従来品の構造は、鼻中隔押圧部の波形の形状が複雑であり、作製が困難である。
【０００６】
更に、上記従来品の線材の端部には鼻腔内部を傷付けないための球状の形成が必須となり、この端部の球状の形成も容易なものではない。
【課題を解決するための手段】
【０００７】
本発明は、一対の挿入部と前記一対の挿入部を連結する連結部を有する鼻腔拡張器において、挿入部及び連結部は、一連の線状材から成り、挿入部は線状材の端部を内側にした渦巻きを形成し、連結部は一対の挿入部を対向して連結したものである。
【０００８】
また、本発明の連結部は、一対の挿入部から突出した突出形状を有するものである。
【０００９】
また、本発明の線状材は、金属線を合成樹脂にて被覆したワイヤーであるものである。
【００１０】
また、本発明は、一連の線状材の端部に球形状を有する球部を備えてなるものである。
【発明の効果】
【００１１】
本発明の鼻腔拡張器は、挿入部を渦巻き状に構成しているため、鼻腔を円形部で拡げることにより、鼻腔内膜に触れる時の痛みを軽減することができる。
【００１２】
また、本発明の鼻腔拡張器は、渦巻きを２つ形成するという単純な構造であるため作製が容易であり、かつ、それら渦巻き形状の挿入部を連結している連結部が渦巻きから突出した形状であるため、着脱がしやすい。
【００１３】
本発明の鼻腔拡張器は、線状材の先端が挿入部である渦巻きの中心にくるため、その端部が鼻腔内膜に触れることが少なく、端部の球状の処理は絶対必要なものとはならない。
【００１４】
万一、渦巻き形状が変形した場合、端部に球形状を有することは鼻腔内部に端部がふれないという効果に繋がる。
【００１５】
本発明の鼻腔拡張器の線状材は、金属線を合成樹脂にて被覆したワイヤーであるため、丈夫であり、かつ、腐食しにくいという効果を有する。
【００１６】
本発明の鼻腔拡張器の連結部は、1対の挿入部から突出した形状で、鼻腔に挿入する際の持ち手の役割に加え、挿入部が鼻腔の奥にまで入らないようにストッパーの役割も担っている。
【００１７】
本発明の鼻腔拡張器は、鼻腔を内側から縦方向に拡げるので就寝中以外でも、抵抗なく装着できる。
【００１８】
また、鼻腔拡張器と、使用者の鼻腔の大きさが合わない場合、鼻腔を拡げる効果は得られないが、本発明の鼻腔拡張器は、シンプルな形状の為、使用者の鼻腔の大きさにより渦巻き状の部分を緩めることによって、大きさが変えられるため、使用者の鼻腔の大きさによりフィットすることが可能である。
【００１９】
本発明の鼻腔拡張器の線状材の長さを変えるだけで、大、中、小、等と色々なサイズを展開できる。また、微妙なサイズ調整も可能であるため、多くの人に対応できる鼻腔拡張器である。
【図面の簡単な説明】
【００２０】
【図１】本発明の鼻腔拡張器の全体斜視図である。（実施例１）
【図２】本発明の鼻腔拡張器の正面から見た全体斜視図である。（実施例１）
【図３】本発明の鼻腔拡張器の連結部の突出形状を示す側面図である。（実施例１）
【図４】本発明の線状材の断面図である。（実施例１）
【図５】本発明の鼻腔拡張器を使用者に合わせて挿入部を拡げた状態の説明図である。（実施例１）
【図６】本発明の鼻腔拡張器の連結部を親指と人差し指で挟んで持っている図である。（実施例１）
【図７】本発明の鼻腔拡張器の装着前後の人体鼻部正面図である。（実施例１）
【図８】本発明の鼻腔拡張器の装着前後の鼻腔縦断面図である。（実施例１）
【図９】本発明の鼻腔拡張器の全体斜視図である。（実施例２）
【図１０】本発明の鼻腔拡張器の側面図である。（実施例２）
【図１１】本発明の鼻腔拡張器の側面図である。（実施例３）
【発明を実施するための形態】
【実施例１】
【００２１】
本発明の実施例１の構成について、図１〜４を用いて以下に説明する。
【００２２】
図１および図２は本発明の鼻腔拡張器１の全体斜視図である。この鼻腔拡張器１は、線状材２の端部３を中心にして、渦巻き形状を形成した挿入部４が線状材２の両端に構成されている。
【００２３】
また、両端の挿入部４を一連の線状材２の中央部で連結する連結部５が設けられている。
【００２４】
図３は、本発明の鼻腔拡張器１の側面図である。連結部５は、渦巻きを形成した挿入部４から実寸で約８ｍｍ突出した形状となっており、連結部５の形状はＵ字形状である。
【００２５】
図４は本発明の鼻腔拡張器１を形成する線状材２であるワイヤー６の断面図である。これは金属線７を合成樹脂８にて被覆したものである。
ワイヤー６は、鉄製の金属線７の周りにポリエチレンを主成分とする合成樹脂８を被覆し、直径約１．６ｍｍに形成したものである。
【００２６】
本発明の鼻腔拡張器１の線状材２の基本の長さは２０ｃｍで、直径約１．６ｃｍの渦巻きの挿入部４を構成し、女性に丁度いいサイズとなる。
【００２７】
また、線状材２の長さを１５ｃｍにすると挿入部４の直径は約１．３ｃｍとなり、長さを２５ｃｍにすると直径は約１．８ｃｍとなる。子供から成人男性まで幅広く使用できる形状となせる。
【００２８】
本発明の鼻腔拡張器１は、線状材２の端部３を中心にした渦巻きを形成するように線状材２をクルクルと巻き、挿入部４を作る。もう一方の端部３も同様に巻き、二つの挿入部４を線状材２の中心で連結部５がＵ字状になるように対向させ形成する。
【００２９】
本発明の鼻腔拡張器１は手作りも可能であるが、製品形状のバラつきが出る可能性があるため、線材形成機により作製することが望ましい。
【００３０】
図５は本発明の鼻腔拡張器１を使用者の鼻腔の大きさに合わせて挿入部４を点線形状から実線形状に広げた図である。鼻腔を拡張する部位形状と使用者の鼻腔の大きさが合わない場合、鼻腔を拡げる効果は得られないが、本発明の鼻腔拡張器１はシンプルな形状のため、使用者の鼻腔の大きさにより渦巻き状の部分を緩めることによって、大きさが変えられるため、使用者の鼻腔の大きさによりフィットすることが可能である。
【００３１】
本発明の鼻腔拡張器１の線状材２の長さを変えるだけで、大、中、小、等と色々なサイズを展開でき、また微妙なサイズ調整も可能であるため、多くの人に対応できる鼻腔拡張器１である。
【００３２】
図６は本発明の鼻腔拡張器１の連結部５を指で挟み持つ図である。連結部５は突出した形状であるためつまみ易く、挿入、取り出しが容易になる。
【００３３】
図７は本発明の鼻腔拡張器１の装着前後を鼻正面から見た図である。鼻腔を縦方向に拡げるため、鼻の形は変形しにくい。
【００３４】
図８は本発明の鼻腔拡張器１の装着前後の鼻腔縦断面図である。挿入部４を挿入することにより鼻腔が縦方向に拡がっているのがわかる。本発明は鼻腔を内側から縦方向に拡げるので、鼻の形は変形しにくいため、就寝中以外でも抵抗なく装着できる。    
【００３５】
本発明の鼻腔拡張器１の連結部５を指でつまみ自身の鼻腔に挿入することで鼻腔を縦方向に拡げ、空気の流入量をふやし、鼻呼吸を円滑にすることができる。
【００３６】
鼻の機能は高性能でどんな温度や湿度の空気であっても１秒で３７°C、湿度１００％の肺に優しい空気に変換してくれる。
鼻詰まりの原因は鼻甲介が腫れる事でおきる。鼻腔拡張器を装着し、単純に鼻腔を拡げ、鼻呼吸を促すことは鼻詰まり予防に非常に有効である。
【００３７】
また、点鼻薬等の薬剤を使わずに鼻詰まり予防が可能となり、薬の副作用もない。
【００３８】
本発明の鼻腔拡張器１は、鼻腔を円形部で拡げるので、鼻腔内膜に触れる時の痛みを軽減することができる。
【００３９】
また、本発明の鼻腔拡張器１は、渦巻きを２つ形成するという単純な構造であり、作成が容易である。
【００４０】
本発明の鼻腔拡張器１は、線状材２の先端が、挿入部である渦巻きの中心にくるため、その端部３が鼻腔内膜に触れることが少なく、端部３の球状の処理は絶対必要なものとはならない。
【００４１】
本発明の鼻腔拡張器１の連結部５は、1対の挿入部４から突出した形状で、鼻腔に挿入する際の持ち手の役割に加え、挿入部４が鼻腔の奥にまで入らない様にストッパーの役割も担っている。
【００４２】
また、本発明の鼻腔拡張器１の連結部５は突出した形状であるため、挿入部４の外形が円形であるにもかかわらず、保管の際も転がりにくく、紛失のリスクも少なくなる。
【００４３】
本発明の鼻腔拡張器１は、連結部５が突出した形状であるため、突出部を指でつまみ鼻腔に挿入できる。
【００４４】
本発明の鼻腔拡張器１を取り出す時は挿入時と同じく突出部を指でつまみ、そのまま引き抜く事で、簡単に取り出せる。
【００４５】
本発明の鼻腔拡張器１の線状材２は、金属線７を合成樹脂８にて被覆したワイヤーであるため、丈夫で腐食しにくいという効果がある。
【００４６】
本発明の鼻腔拡張器１の材料については、金属線７を合成樹脂８にて被覆したワイヤーであるため、形状を形成する作業が簡単である。しかも渦巻き状に形成するため、鼻腔を押し拡げる強度も保ち、かつ丸みがあるため、鼻腔内に触れても抵抗が少ない。
【実施例２】
【００４７】
次に図９および図１０を用いて、本発明の実施例２について説明する。
【００４８】
本実施例の場合、実施例１と異なり鼻腔拡張器１の連結部５は挿入部４から突出していない形状である。
【００４９】
実施例２の鼻腔拡張器１は、挿入部４の渦巻きの外周から直線状に、対向する渦巻きに連結されているものである。
【００５０】
実施例２の鼻腔拡張器１は連結部５が突出していないため、つまみにくいという欠点はあるが、装着した際に鼻腔の外側にくる連結部５が目立ちにくくなるという利点がある。
【実施例３】
【００５１】
次に図１１を用いて、本発明の実施例３について説明する。
【００５２】
本実施例３は、実施例１及び実施例２と異なり、線状材２の端部３に球状の樹脂成形品である球部９がはめ込まれている構成である。
【００５３】
本実施例３は、線状材２の端部３に球部９を接合したものであり、球部９は、球形状に線状材２の直径と同程度の直径を有する穴を設けた樹脂成型品あり、接着材により線状材２の端部３に接着固定されている。
【００５４】
万が一、外からの圧力等により渦巻き状の中心の端部３の位置がずれ、鼻腔内に触れる場合には、端部３に球部９をはめ込む事が有効である。
【００５５】
この構成により、万一挿入部４の形状が変形した場合においても、鼻腔内部に端部３が直接触れることが少なくなり、端部３に球部９を有することは装着感をより良好にする効果に繋がる。
【符号の説明】
【００５６】
１  鼻腔拡張器
２  線状材
３  端部
４  挿入部
５  連結部
６  ワイヤー
７  金属線
８  合成樹脂
９  球部
【図１】
2019080796.tif 000003
【図２】
2019080796.tif 000004
【図３】
2019080796.tif 000005
【図４】
2019080796.tif 000006
【図５】
2019080796.tif 000007
【図６】
2019080796.tif 000008
【図７】
2019080796.tif 000009
【図８】
2019080796.tif 000010
【図９】
2019080796.tif 000011
【図１０】
2019080796.tif 000012
【図１１】
2019080796.tif 000013
【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
一対の挿入部と前記一対の挿入部を連結する連結部を有する鼻腔拡張器において、前記挿入部及び前記連  結部は、一連の線状材から成り、前記挿入部は前記線状材の端部を内側にした渦巻きを縦平面内で平面状に  形成し、前記連結部は前記一対の挿入部を対向して連結することを特徴とする鼻腔拡張器。
【請求項２】
前記連結部は、前記一対の挿入部から突出した突出形状を有することを特徴とする請求項１に記載の鼻腔  拡張器。
【請求項３】
前記線状材は、金属線を合成樹脂にて被覆したワイヤーであることを特徴とする請求項１又は２に記載の  鼻腔拡張器。
【請求項４】
前記一連の線状材の端部に球形状を有する球部を備えてなることを特徴とする請求項１〜３のいずれかに  記載の鼻腔拡張器。
【手続補正２】
【補正対象書類名】明細書
【補正対象項目名】０００７
【補正方法】変更
【補正の内容】
【０００７】
一対の挿入部と前記一対の挿入部を連結する連結部を有する鼻腔拡張器において、前記挿入部及び前記連  結部は、一連の線状材から成り、前記挿入部は前記線状材の端部を内側にした渦巻きを縦平面内で平面状に  形成し、前記連結部は前記一対の挿入部を対向して連結することを特徴とする鼻腔拡張器。